(57)【要約】【課題】受信した放送の動画像データを、同時録画・再生のために、１つまたは複数のネットワーク接続された記録装置に書き込み、必要に応じて当該記録装置から読み取る機能を実現する。【解決手段】ＤＴＶ１の録画再生制御部１４は、受信した放送の動画像データを受信し、設定情報があればその情報に基づいて、前記動画像データを指定された外部接続の記録装置に記録する。ＤＴＶ１のユーザは、入力部１８により、表示部１６等に、現在視聴している放送をそのまま表示等させるか、あるいは前記記録装置に記録された過去の放送を再生させるかを指定する。上記ユーザの指定に応じて、録画再生制御部１４は、表示部１６等に、受信した放送の動画像データ、および記録装置から受信した過去の動画像データのいずれかを当該表示等のために送信する。【選択図】  図２
2005020057.tif 000002
【特許請求の範囲】
【請求項１】
ユーザが視聴する番組の動画像データを受信するとともに、前記動画像データを少なくとも１つの記録手段に記録し、前記受信した動画像データと前記記録された動画像データのどちらかを、再生のために、出力手段に向けて送信する録画再生制御手段と、
前記受信した動画像データと前記記録された動画像データのどちらを再生のために送信するかを、ユーザが前記録画再生制御手段に指示するための入力手段とを有し、
前記録画再生制御手段は、前記ユーザが前記記録された動画像データを再生するよう指示した場合に、前記記録手段から対応する動画像データを受信するよう制御し、
前記記録手段と前記録画再生制御手段は、ネットワークを介して隔置されることを特徴とするデータ受信装置。
【請求項２】
請求項１に記載されたデータ受信装置において、
前記録画再生制御手段は、前記記録手段として少なくとも１つの装置を、前記ネットワークに接続され、かつ同時録画・再生が可能な装置の中から自動的に選択することを特徴とするデータ受信装置。
【請求項３】
請求項２に記載されたデータ受信装置において、
前記録画再生制御手段は、前記装置が同時録画・再生可能かどうかを、前記ネットワークを介して前記装置に送信された所定のコマンドに対する前記装置の応答内容によって判定することを特徴とするデータ受信装置。
【請求項４】
請求項１に記載されたデータ受信装置において、
前記録画再生制御手段は、前記記録手段として少なくとも１つの装置を、ユーザが設定した設定情報に指定された装置の中から自動的に選択することを特徴とするデータ受信装置。
【請求項５】
請求項１に記載されたデータ受信装置において、
前記記録手段への前記動画像データの記録は、確保された記憶域内に、所定データサイズの直近の動画像データ、あるいは所定の放送時間に対応する直近の動画像データを記録するように行われることを特徴とするデータ受信装置。
【請求項６】
請求項４に記載されたデータ受信装置において、
前記設定情報が、前記動画像データの記録先となる装置ごとに、記録可能な時間、および録画対象となるチャンネルのうち少なくとも１つの情報を含み、更に、前記設定情報がユーザにより編集可能であることを特徴とするデータ受信装置。
【請求項７】
請求項１に記載されたデータ受信装置において、
前記録画再生制御手段は、前記動画像データを複数の記録手段に記録する場合に、異なる記録手段に順次、動画像データを記録するように制御することを特徴とするデータ受信装置。
【請求項８】
請求項１に記載されたデータ受信装置において、
前記録画再生制御手段は、前記動画像データの前記記録手段への記録が行われている間にユーザが視聴番組の録画を指示した場合、前記ユーザの指示によって記録された録画データの前に、前記ユーザが指示をした際に前記記録手段に記録されている動画像データを連結するよう制御することを特徴とするデータ受信装置。
【請求項９】
請求項１に記載されたデータ受信装置において、
前記録画再生制御手段は、前記動画像データの前記記録手段への記録が行われている間にユーザがチャンネルを変更した場合、変更後のチャンネルの動画像データを一時的に、前記変更前のチャンネルの動画像データが記録されている領域とは別の領域に記録するよう制御することを特徴とするデータ受信装置。
【請求項１０】
録画再生制御手段において、ユーザが視聴する番組の動画像データを受信するとともに、前記動画像データを少なくとも１つの記録手段に記録し、前記受信した動画像データと前記記録された動画像データのどちらかを、再生のために、出力手段に向けて送信する録画再生制御ステップと、
前記受信した動画像データと前記記録された動画像データのどちらを再生のために送信するかを、ユーザが前記録画再生制御ステップに指示するための入力ステップとを有し、
前記録画再生制御ステップは、前記ユーザが前記記録された動画像データを再生するよう指示した場合に、前記記録手段から対応する動画像データを受信するよう制御し、
前記記録手段と前記録画再生制御手段は、ネットワークを介して隔置されることを特徴とするデータ処理方法。
【請求項１１】
請求項１０に記載されたデータ処理方法において、
前記録画再生制御ステップは、前記記録手段として少なくとも１つの装置を、前記ネットワークに接続され、かつ同時録画・再生が可能な装置の中から自動的に選択することを特徴とするデータ処理方法。
【請求項１２】
請求項１１に記載されたデータ処理方法において、
前記録画再生制御ステップは、前記装置が同時録画・再生可能かどうかを、前記ネットワークを介して前記装置に送信された所定のコマンドに対する前記装置の応答内容によって判定することを特徴とするデータ処理方法。
【請求項１３】
請求項１０に記載されたデータ処理方法において、
前記録画再生制御ステップは、前記記録手段として少なくとも１つの装置を、ユーザが設定した設定情報に指定された装置の中から自動的に選択することを特徴とするデータ処理方法。
【請求項１４】
請求項１０に記載されたデータ処理方法において、
前記記録手段への前記動画像データの記録は、確保された記憶域内に、所定データサイズの直近の動画像データ、あるいは所定の放送時間に対応する直近の動画像データを記録するように行われることを特徴とするデータ処理方法。
【請求項１５】
請求項１３に記載されたデータ処理方法において、
前記設定情報が、前記動画像データの記録先となる装置ごとに、記録可能な時間、および録画対象となるチャンネルのうち少なくとも１つの情報を含み、更に、前記設定情報がユーザにより編集可能であることを特徴とするデータ処理方法。
【請求項１６】
請求項１０に記載されたデータ処理方法において、
前記録画再生制御ステップは、前記動画像データを複数の記録手段に記録する場合に、異なる記録手段に順次、動画像データを記録するように制御することを特徴とするデータ処理方法。
【請求項１７】
請求項１０に記載されたデータ処理方法において、
前記録画再生制御ステップは、前記動画像データの前記記録手段への記録が行われている間にユーザが視聴番組の録画を指示した場合、前記ユーザの指示によって記録された録画データの前に、前記ユーザが指示をした際に前記記録手段に記録されている動画像データを連結するよう制御することを特徴とするデータ処理方法。
【請求項１８】
請求項１０に記載されたデータ処理方法において、
前記録画再生制御ステップは、前記動画像データの前記記録手段への記録が行われている間にユーザがチャンネルを変更した場合、変更後のチャンネルの動画像データを一時的に、前記変更前のチャンネルの動画像データが記録されている領域とは別の領域に記録するよう制御することを特徴とするデータ処理方法。
【発明の詳細な説明】
【０００１】
【発明の属する技術分野】
この発明は、放送された動画像データを受信し表示するデータ受信装置およびデータ処理方法に関し、特に、ネットワーク接続された記録装置を使用して同時録画・再生を実行するデータ受信機およびデータ処理方法に関する。
【０００２】
【従来の技術】
テレビジョン受信機やチャンネルサーバ等のデータ受信装置の中には、ハードディスクを内蔵して、受信した放送の同時録画・再生が可能なものがある。このようなデータ受信装置によって、ユーザは、多彩な再生方法で番組を見ることができるようになった。例えば、番組の録画を継続しながら、その番組を最初から視聴することができる「追いかけ再生」や、実際の放送から所定の時間だけずらして番組を視聴することができる「タイムシフト再生」などである。
【０００３】
このように、今までは、ビデオテープを用いてテレビジョン放送を録画することが一般的であったが、近年のハードディスクの大容量化、低価格化によって、ハードディスクがこの用途に用いられ始めている。ハードディスクは、ビデオテープに比べてアクセス速度が速く、ランダムアクセスが可能という特徴を有しており、そのために、ハードディスクに書き込み（録画）をしながら、以前に記録された部分を読み取る（再生）ことが可能となり、結果的に上述した「追いかけ再生」や「タイムシフト再生」といった機能を実現できるようになった。
【０００４】
「追いかけ再生」や「タイムシフト再生」は、今までの番組視聴のスタイルに大きな変化をもたらすものである。例えば、「追いかけ再生」機能を用いれば、ユーザは、番組が録画中の状態でも、その番組を最初から再生することができる。従来のビデオテープによる録画では、番組の録画が全て終了しないと、その番組を再生して見ることができなかった。また、「タイムシフト再生」機能を用いれば、番組の途中でその場を離れなければならないような場合であっても、戻った後でその番組の続きを再生して見ることができる。
【０００５】
これまでに、部分的トランスポートストリームをＩＥＥＥ１３９４に準拠するネットワークに接続された１台のデータストレージに記録し、タイムシフト再生を可能としたネットワークストレージ装置が提案されている（特許文献１）。
【０００６】
【特許文献１】
特開２００２−１２５１７９号公報
【０００７】
【発明が解決しようとする課題】
しかしながら、従来のデータ受信装置は、単体で上記のような同時録画・再生機能を実現するものが多く、ネットワーク接続された別の記録装置を用いるものであっても記録形式が限られていた。更に、ネットワークへの接続や同時記録・再生が可能な記録装置かどうかを判定して自動的に記録装置を選択したり、事前に記録装置に関する設定情報を具備するものはなかった。このような柔軟な記録装置の利用が可能になれば、複数の記録装置がネットワークに接続された環境等で既存の装置を有効に活用できる可能性もあり、また複数の記録装置を同時に利用して、多様な書き込み、読み取り形態を実現できると共に可用性を向上させることもできる。
【０００８】
従って、この発明の目的は、受信した放送を、同時録画・再生のために、１つまたは複数のネットワーク接続された記録装置に書き込み、または当該記録装置から読み取る機能を実現するデータ受信装置およびデータ処理方法を提供することにある。
【０００９】
また、この発明の更なる目的は、ネットワークに接続され、かつ同時録画・再生可能な記録装置の中から受信した放送を記録する記録装置を選択するデータ受信装置およびデータ処理方法を提供することにある。
【００１０】
【課題を解決するための手段】
この発明は、ユーザが視聴する番組の動画像データを受信するとともに、動画像データを少なくとも１つの記録手段に記録し、受信した動画像データと記録された動画像データのどちらかを、再生のために、出力手段に向けて送信する録画再生制御手段と、受信した動画像データと記録された動画像データのどちらを再生のために送信するかを、ユーザが録画再生制御手段に指示するための入力手段とを有し、録画再生制御手段は、ユーザが記録された動画像データを再生するよう指示した場合に、記録手段から対応する動画像データを受信するよう制御し、記録手段と録画再生制御手段は、ネットワークを介して隔置されるよう構成されるデータ受信装置である。
【００１１】
この発明は、録画再生制御手段において、ユーザが視聴する番組の動画像データを受信するとともに、動画像データを少なくとも１つの記録手段に記録し、受信した動画像データと記録された動画像データのどちらかを、再生のために、出力手段に向けて送信する録画再生制御ステップと、受信した動画像データと記録された動画像データのどちらを再生のために送信するかを、ユーザが録画再生制御ステップに指示するための入力ステップとを有し、録画再生制御ステップは、ユーザが記録された動画像データを再生するよう指示した場合に、記録手段から対応する動画像データを受信するよう制御し、記録手段と録画再生制御手段は、ネットワークを介して隔置されるよう構成されるデータ処理方法である。
【００１２】
この発明によれば、受信した放送が、同時録画・再生のために、１つまたは複数のネットワーク接続された記録装置に書き込まれ、または当該記録装置から読み取られる。また、ネットワークに接続され、かつ同時録画・再生可能な記録装置の中から、受信した放送を記録する記録装置が選択される。
【００１３】
【発明の実施の形態】
最初に、この発明の第１の実施の形態について、図面を用いて説明する。図１は、この発明による同時録画・再生を行う場合の接続例を示すブロック図である。ここで、「同時録画・再生」の用語は、録画のためのデータの書き込みと再生のためのデータの読み出しを同時に行うことを意味する。しかしながら、当該書き込みと読み出しは並行して行われるものであり、厳密な意味での記録装置への「同時」アクセスではない。また、常に並行して書き込みと読み出しが行われるとは限らない。ユーザが、受信した放送をそのまま視聴しているような場合は、原則的に再生の必要はない。
【００１４】
ＤＴＶ１は、例えば、ディジタルテレビジョン受像機のようなデータ受信装置であるが、ディジタルテレビジョン放送の受信・表示する装置に限られるものではなく、この他に、アナログテレビジョン放送等の受信・表示に用いられる装置であっても良い。ＤＴＶ１は、ハードディスクドライブ２、ビデオテープ記録装置３、ディジタルビデオカメラ４にそれぞれネットワーク５を介して接続されている。
【００１５】
ハードディスクドライブ２は、ハードディスクに放送番組の動画像データを記録可能な記録装置であり、ビデオテープ記録装置３は、ビデオテープにデータを記録することができる記録装置である。また、ディジタルビデオカメラ４は、撮影した動画像ディジタルを記録するもので、記録媒体としては、主にカセットテープが用いられる。
【００１６】
ネットワーク５は、例えば、ＩＥＥＥ１３９４規格の広帯域バスである。この発明では、放送番組の動画像データを伝送するため、一定以上の通信速度を確保する必要があるが、当該条件を満たす限り、他の既知のネットワーク（またはネットワーク・プロトコル）を用いることができる。また、この例では、ＩＥＥＥ１３９４規格のケーブルによって各装置が接続されているが、無線ＬＡＮ等を使用することもでき、更に、ネットワーク・トポロジにも特段の制限はない。
【００１７】
ＤＴＶ１は、受信した放送の動画像データを同時録画・再生のために、ハードディスクドライブ２に録画する。このとき、ＤＴＶ１のユーザが、例えば、「タイムシフト再生」を指定すると、ハードディスクドライブ２は、上記録画処理を実行しながら、以前に録画された動画像データを、再生のためにＤＴＶ１に伝送する。このようにハードディスクドライブ２は、ハードディスク上にデータを記録するために、録画と再生を同時に行うことができるが、ビデオテープ記録装置３およびディジタルビデオカメラ４は、動画像データをテープに記録する装置であるため、録画と再生を同時に行うことはできない。
【００１８】
ＤＴＶ１は、ネットワーク５に接続された各装置が、上述のように同時録画・再生に使用できるかどうかを判定し、同時録画・再生に使用可能な装置に対して動画像データを伝送する。従って、図１の例では、ハードディスクドライブ２の１台のみが同時録画・再生に使用可能な装置と判定される。
【００１９】
ＤＴＶ１とハードディスクドライブ２は、一般的には、別の筐体の装置であり、ネットワーク５を介して隔置、即ち一定の間隔をおいて配置されている。
【００２０】
図２は、図１のＤＴＶ１とハードディスクドライブ２の構造をより詳細に示したブロック図である。図１で示すように、ＤＴＶ１とハードディスクドライブ２は、例えば、ＩＥＥＥ１３９４規格の広帯域バスで構成されるネットワーク５で接続される。この例では、ＤＴＶ１が地上波ディジタルテレビジョン放送を受信・表示する装置であると仮定して説明を行う。
【００２１】
ＤＴＶ１は、チューナ部１２、復調部１３、録画再生制御部１４、デコーダ１５、表示部１６、音声出力部１７、入力部１８、インタフェース１９、およびメモリ２０を含む。ハードディスクドライブ２は、インタフェース２１、入出力制御部２２、およびハードディスク２３を含み、ハードディスク２３内にはバッファ２４がある。
【００２２】
ここで、録画再生制御部１４は録画再生制御手段に対応し、入力部１８は入力手段に対応し、表示部１６と音声出力部１７は出力手段に対応する。また、ハードディスクドライブ２のバッファ２４は、記録手段に該当する。この発明の本質は、録画再生制御手段と入力部にあるので、必ずしもＤＴＶ１のようなテレビジョン放送の受信装置で構成される必要はない。例えば、表示部１６等と接続可能なテレビジョン・チューナやＳＴＢ（Ｓｅｔ  Ｔｏｐ  Ｂｏｘ）のような製品であってもこの発明の範囲に属し得る。
【００２３】
ＤＴＶ１のチューナ部１２は、アンテナ１１からテレビジョン放送信号を受信し、増幅、周波数変換、およびフィルタリング等を行った後、ＩＦ（Ｉｎｔｅｒｍｅｄｉａｔｅ  Ｆｒｅｑｕｅｎｃｙ）信号として復調部１３に出力する。例えば、地上波ディジタル放送を受信する場合であれば、チューナ部１２は、アンテナ１１を介してＩＳＤＢ−ＴのＯＦＤＭ信号をＲＦ（Ｒａｄｉｏ  Ｆｒｅｑｕｅｎｃｙ）信号として受信する。地上波ディジタル放送における各プログラムコンテンツは、例えば、ＭＰＥＧ−２のＴＳ（Ｔｒａｎｓｐｏｒｔ  Ｓｔｒｅａｍ：トランスポートストリーム）を利用している。
【００２４】
復調部１３は、受信した地上波ディジタル放送の信号を復調して、ＭＰＥＧ−２のＴＳ（以下、ＴＳデータと称する）を抽出する。そのために復調部１３は、上記受信信号にＦＦＴ（Ｆａｓｔ  Ｆｏｕｒｉｅｒ  Ｔｒａｎｓｆｏｒｍ）演算、デインタリーブ、デマッピング、およびビタビ復号およびＲＳ（Ｒｅｅｄ  Ｓｏｌｏｍｏｎ）復号等を利用した誤り訂正などの各処理を施す。
【００２５】
復調部１３によって復調されたデータは、録画再生制御部１４に供給され、そこで、番組を表示するためにデコーダ１５に転送される。デコーダ１５は、逆量子化、ＩＤＣＴ（逆離散コサイン変換）、および動き補償を順次行って放送番組の動画を構成する各フィールドまたはフレームを再生する。
【００２６】
また、録画再生制御部１４は、当該放送をハードディスクドライブ２に記録するために、インタフェース１９にデータを送信する。ここでは、ＴＳデータが送信されるものとして説明するが、より簡略化されたデータ、あるいは別の形式のデータを送信してもよい。但し、放送帯域、およびネットワーク５の帯域の関係で、これらのデータは通常、なんらかの方法で圧縮されている。こうした帯域の問題がなくなれば、圧縮なしで動画像データを伝送可能であり、その場合、ＤＴＶ１は、基本的にデコーダ１５を含む必要がなくなる。
【００２７】
入力部１８は、ユーザがＤＴＶ１に所定の処理を指示するためのリモートコントロールコマンダ（以下、リモコンと称する）等の入力手段である。ユーザは、このリモコンによって、視聴チャンネルを切り換え、または上述の「タイムシフト再生」等の指示を行う。
【００２８】
メモリ２０は、例えば、不揮発性メモリであり、受信した放送信号の復調やデコードに必要な情報を記憶し、更に、同時録画・再生に使用する記録装置の情報や、第２の実施の形態の説明に関して後述する記録装置の設定情報を記憶するのに用いられる。この例では不揮発性メモリが用いられることとしたが、ハードディスク等の記録手段であってもよい。
【００２９】
ＤＴＶ１の録画再生制御部１４からインタフェース１９およびネットワーク５を経由して送信されたＴＳデータは、ハードディスクドライブ２のインタフェース２１で受信され、入出力制御部２２を介してハードディスク２３内の所定の領域に確保されたバッファ２４に記録される。ここで、ハードディスクドライブ２の入出力制御部２２は、ＤＴＶ１の録画再生制御部１４から録画指示を受けた場合には受信したＴＳデータをバッファ２４に記録し、ＤＴＶ１の録画再生制御部１４から再生指示を受けた場合には対応するＴＳデータをバッファ２４から読み出し、録画再生制御部１４に送信する。こうしたＤＴＶ１の録画再生制御部１４からの録画指示と再生指示が、並行して入出力制御部２２に対してされることもある。
【００３０】
ハードディスク２３の内の、バッファ２４以外の記憶域は、他のデータを記録するために用いられ得る。ただし、その場合でも、バッファ２４の容量は一定に確保されることが望ましい。
【００３１】
図３は、この発明のデータ受信装置による同時録画・再生を行う場合の他の接続例を示すブロック図である。ＤＴＶ３１、ネットワーク３５、およびビデオテープ記録装置３４は、それぞれ図１のＤＴＶ１、ネットワーク５、およびビデオテープ記録装置３と同様のものである。図１のブロック図とは、ネットワーク３５に、ハードディスクドライブが２台（ハードディスクドライブ３２とハードディスクドライブ３３）接続されている点で異なっている。従って、この例の場合、ＤＴＶ３１は、同時録画・再生が可能な記録装置が複数存在すると判断する。同時録画・再生が可能な記録装置が複数存在する場合は、それらの記録装置の中から１台または数台を選択し、受信した放送の動画像データを、その選択された記録装置に記録させることができる。また、複数の記録装置を選択した場合には、それらの記録装置に所定の順序で周期的に記録させるようにすることができる。
【００３２】
図４は、本実施の形態において、記録装置を検出してから同時録画・再生を行うまでの処理を示すフローチャートである。この処理は、例えば、ＤＴＶ１の電源が投入された場合、またはユーザがＤＴＶ１に対しリモコン等を使ってチャンネルを変更した場合や、その他の所定の操作を指示した場合に開始される。
【００３３】
最初に、図２に示すＤＴＶ１の録画再生制御部１４は、ステップＳ１で、ネットワーク５に接続された記録装置があるかどうか、および、その記録装置が同時録画・再生可能かどうかを調査することによって、同時録画・再生に使用可能な記録装置が何台あるかを判断する。この判断は、例えば、ＩＥＥＥ１３９４規格の広帯域に接続された記録装置であれば、ＡＶ／Ｃ（Ａｕｄｉｏ  Ｖｉｄｅｏ  Ｃｏｎｔｒｏｌ）Ｄｉｇｉｔａｌ  Ｉｎｔｅｒｆａｃｅ  Ｃｏｍｍａｎｄを用いて問い合わせることができ、各記録装置は、自身がどのようなタイプ（サブユニット）であるかを返信する。ここで、タイプは、記録装置が用いる記録媒体（例えば、ディスクレコーダー、テープレコーダー）を示すものである。録画再生制御部１４は、このタイプが少なくともディスクレコーダーである記録装置を、同時録画・再生が可能な装置として認識する。
【００３４】
録画再生制御部１４は、ステップＳ２で、ネットワークに接続された同時録画・再生可能な記録装置が存在していたかどうかを判定する。１台も存在していない場合は、同時録画・再生機能が利用できない状態であるため、ステップＳ３に進み、その旨を示す所定のメッセージを例えば、ＤＴＶ１の表示部１６に表示する。
【００３５】
少なくとも１台存在する場合は、ステップＳ４に進み、そこで、使用可能な記録装置が１台かどうか判定する。１台である場合、即ち、図１に示すような接続状態である場合、ステップＳ５に進み、その１台を同時録画・再生に使用する装置として登録する。登録内容は、録画再生制御部１４が、ＴＳデータをその記録装置に送信するのに必要な情報、例えば、記録装置のアドレスや確保すべきバッファ２４の容量であり、これらは、必要に応じてメモリ２０等に記憶される。
【００３６】
ステップＳ４で、使用可能な記録装置が複数あると判定された場合、即ち、図２に示すような接続形態である場合、ステップＳ６に進み、それらの記録装置の中で、実際に同時録画・再生に使用される記録装置が自動的に選択される。この自動的な選択は、所定のルールに基づいて行われる。ルールは、例えば、使用するのは１台か複数台か、複数の場合、どのような順序で録画を行うか、各記録装置にどれだけの時間（または容量）記録するか等を事前に定めるものである。
【００３７】
その後、ステップＳ７に進み、選択された記録装置（１台または複数）を同時録画・再生に使用する装置として登録する。登録内容は、ステップＳ５で説明した内容に加え、録画の順序等であり、これも、必要に応じてメモリ２０等に記憶される。
【００３８】
最終的に、ステップＳ８において、同時録画・再生が行われる。この処理は、ユーザが現在放送されている番組を視聴している場合には、ＤＴＶ１の録画再生制御部１４からのＴＳデータが、ハードディスクドライブ２のハードディスク２３内のバッファ２４に記録される録画処理のみである。ここで、ユーザが「タイムシフト再生」等を指示すると、上記録画処理に加え、必要なＴＳデータの再生処理が行われる。即ち、ＴＳデータがハードディスク２３内のバッファ２４から録画再生制御部１４に送信されて、最終的には動画像データが表示部１６に表示され、音声データが音声出力部１７に出力される。
【００３９】
次に、こうして選択された記録装置のバッファ２４に、ＴＳデータのような動画像データが記録される態様について、図５を参照して説明する。図５は、ハードディスクドライブ２のバッファ２４の内容を時系列に示す略線図である。バッファ２４は、例えば、１０分間に対応する動画像データ（ここでは、ＴＳデータ）を記録できる容量を有しており、バッファ２４が一杯になった場合に、それ以降のデータを再びバッファの先頭から書き込む、いわゆるリングバッファのような構造を有している。
【００４０】
バッファ２４は、例えば、最初の５分間の動画に対応するＴＳデータが記録されると、図５Ａに示すような状態になる。即ち、ＴＳデータが、バッファの半分の容量を満たす位置まで記録され、このデータがデータＸとして示されている。
【００４１】
ＴＳデータの記録がこのまま続けられると、図５Ｂに示すように、バッファ２４が一杯になり、容量の全てがデータＸで満たされる。その後、更に記録が続けられると、図５Ｃに示すように、ＴＳデータは再びバッファ２４の先頭から記録され、以前に記録されていたデータＸは、その部分について上書きされる。新たなＴＳデータ（記録が始まってから１０分経過後１３分までのデータ）がデータＹとして示されている。以降同様に、一定の容量のバッファ２４内において周期的な上書きが繰り返される。
【００４２】
従って、この例のバッファ２４では、常に、過去１０分間のＴＳデータを記録していることになり、１０分前までなら過去の放送を再生できることになる。
【００４３】
なお、この例では、便宜上、バッファ２４の容量を「１０分」という時間を用いて表している。しかしながら、ＭＰＥＧなどの圧縮符号化動画像データにおいては、映像の色数や動きによって圧縮率が変化するので、１０分間の動画がどの放送部分においても同じ容量の圧縮データになるとは限らない。従って、一定の容量のバッファ２４が、ある時は１０分以上の動画像に相当するＴＳデータを記録可能な場合もあるし、記録できない場合もある。
【００４４】
このように、バッファ２４の容量を時間を基準として確保しようとする場合は、上記事情を考慮しておく必要がある。また、例えば、最小圧縮レートで１０分間の動画像を圧縮した場合のデータサイズでバッファ２４の容量を見積もることも可能である。本明細書では、概略的にバッファの容量を表すことを意図して時間による表現を用いるものとする。
【００４５】
次に、この発明の第２の実施の形態のデータ受信装置について説明する。本実施の形態のデータ受信装置は、第１の実施の形態の当該装置と異なり、接続装置に関する設定情報を記憶し、更に、その設定情報をＧＵＩ（Ｇｒａｐｈｉｃａｌ  Ｕｓｅｒ  Ｉｎｔｅｒｆａｃｅ）によって編集できる。本実施の形態のデータ受信装置の構成は、図２に示す第１の実施の形態の当該装置と同様のものであるため説明を省略する。ただし、上記接続装置に関する設定情報は、例えば、ＤＴＶ１のメモリ２０に記憶される。
【００４６】
図６には、最初に接続装置の設定情報を表示する処理のフローチャートが示されている。この処理は、例えば、最初にＤＴＶ１の電源が投入されたときや、ユーザが所定の操作を行った場合に起動される。
【００４７】
まず、ステップＳ１１において、ネットワークに接続された装置のうち同時録画・再生が可能な装置をチェックする。次に、ステップＳ１２で、当該装置が１台かどうかを判定する。１台もなかった場合は、図４に示すようにその旨のメッセージを表示部１６に表示してもよいが、この例では省略する。
【００４８】
条件を満たす装置が１台しかない場合、例えば、図１に示すような接続状態の場合、ステップＳ１３に進み、そこで設定画面が表示部１６に表示される。この設定画面に対してユーザは、同時録画・再生の時間を設定する（ステップＳ１４）。ユーザは、ここで指定する時間だけ過去の放送を再生することができるが、その時間が長いほど、記録装置に大きな容量のバッファ２４が必要となる。
【００４９】
ここで表示される設定画面の例が、図７の略線図に示されている。画面には、検出された記録装置（図１の例では、ハードディスクドライブ２）が記録装置ＨＤＤ１として示され、時間（Ｈ）および分（Ｍ）が指定できるようになっている。これらの指定は、時間の表示欄、分の表示欄の横にある下向き三角の部分を、ＤＴＶ１のリモコン等を用いてクリックすることによって所望の数字を選択して行う。
【００５０】
ここで指定された時間だけ、放送番組の動画像データが録画され、「タイムシフト再生」等を実行することができる。また、前述したように、放送番組の動画像データは、放送内容によって圧縮率が変動する可能性があるので、常に同じ時間の動画を録画・再生できるとは限らない。
【００５１】
再び、図６に戻ると、条件を満たす記録装置が複数台ある場合、例えば、図３に示すような接続状態の場合、ステップＳ１５で設定画面が表示部１６に表示される。この設定画面に対してユーザは、使用する記録装置の選択、同時録画・再生の時間等を設定する（ステップＳ１６）。
【００５２】
ここで表示される設定画面の例が、図８の略線図に示されている。画面には、検出された複数の記録装置（図３の例では、ハードディスクドライブ３２とハードディスクドライブ３３）がそれぞれ記録装置ＨＤＤ２、ＨＤＤ３として示され、それぞれ時間（Ｈ）および分（Ｍ）が指定できるようになっている。これらの指定は、時間の表示欄、分の表示欄の横にある下向き三角の部分を、ＤＴＶ１のリモコン等を用いてクリックすることによって所望の数字を選択して行う。
【００５３】
また、それぞれの記録装置の表示欄の隣には、その記録装置を使用するか否かを指定するチェックボックスが表示されている。ユーザは、その記録装置を使用する場合、リモコン等を用いて、対応するチェックボックスをクリック等してチェックする。これにより、その記録装置が同時録画・再生に使用されるようになる。従って、ユーザは、ネットワークに接続された同時録画・再生可能な記録装置の一部、あるいは全部を同時録画・再生に使用するよう設定できる。
【００５４】
複数の記録装置を使用するよう選択した場合は、この他に、放送番組の動画像データが記録される順序を指定することもできるが、図８に示す設定画面では省略する。
【００５５】
図６に戻ると、上述した設定画面における設定の後、処理はステップＳ１７に進み、そこで、設定情報がメモリ２０に記憶される。また、各記録装置には、指定された時間に基づいて、所定の容量のバッファ２４が確保される。
【００５６】
ここで、別の接続状態についての上記設定画面の例を説明する。図９は、ＤＴＶ４１に、ハードディスクドライブ４２、ハードディスクドライブ４３、ビデオテープ記録装置４４、ＤＶＤ（Ｄｉｇｉｔａｌ  Ｖｅｒｓａｔｉｌｅ  Ｄｉｓｋ）レコーダ４５、およびブルーレイディスク（Ｂｌｕ−ｒａｙ  Ｄｉｓｃ）レコーダ４６が接続されている。これらはツリー型に接続されているが、例えば、ＩＥＥＥ１３９４規格では、このような接続形態が可能である。
【００５７】
ＤＶＤレコーダ４５は、書き込み可能なタイプのＤＶＤにデータを書き込み、あるいはＤＶＤからデータを読み取ることができる記録装置であり、ブルーレイディスクレコーダ４６は、ブルーレイディスクに対してデータの書き込み、読み取りが可能な記録装置である。両者とも、高速アクセスおよびランダムアクセスが可能であり、その点から、同時録画・再生が可能な記録装置と言える。
【００５８】
次に、このような接続状態において、図６に示した、設定情報を表示する処理を実行すると、例えば、図１０に示すような表示がされる。図９に示す接続状態では、４つの記録装置が同時録画・再生可能であるので、それらの装置が表示されている。図１０の例では３つの記録装置しか表示されていないが、図１０の右端に示されたスクロールバーをＤＴＶ１のリモコン等を使用して操作することにより、残りの１つの記録装置を表示させることができる。
【００５９】
また、図１０に示す表示例では、記録装置毎に録画チャンネルが指定できるようになっている。例えば、ハードディスクドライブ４２（ＨＤＤ４）は、地上波ディジタル放送を同時録画・再生する際に使用される。ユーザが、地上波ディジタル放送の番組を視聴している場合には、ハードディスクドライブ４２のバッファに対して所定の時間分（例えば、１０分間）だけその放送が自動的に記録され、その後、ＢＳディジタル放送の番組にチャンネルを変えると、ハードディスクドライブ４３（ＨＤＤ５）のバッファに対して所定の時間分だけその放送が自動的に記録される。
【００６０】
記録対象となっている動画像データのチャンネルは、受信した放送データ内に含まれる情報によって識別することができる。従って、例えば、ＤＴＶ１の録画再生制御部１４は、記録対象の動画像データのチャンネルを識別し、そのチャンネルを上記設定情報から、その動画像データを記録する記録装置を自動的に選択することができる。
【００６１】
次に、設定情報がメモリ２０に一旦記憶された後に、その情報を呼び出して編集する処理を図１１のフローチャートを参照して説明する。最初に、ステップＳ２１において、メモリ２０に記憶されている設定情報を読み込む。この中には、前回、ユーザが同時録画・再生に使用するために指定した記録装置が含まれている。ステップＳ２２では、その指定された記録装置が現在も接続されているかどうかチェックし、それらの記録装置が同時録画・再生に使用可能か判定する。
【００６２】
ステップＳ２３で、設定情報内に指定されていた記録装置のうち１つでも使用できない場合は、ステップＳ２４に進み、その旨のメッセージを表示部１６に表示して終了する。全ての記録装置が接続されており、同時録画・再生に使用可能である場合は、ステップＳ２５に進み、そこで設定画面の表示を行う。設定画面は、図８や図１０に示すものと同様の表示であり、ステップＳ２６において、ユーザは、その画面に対して所望の変更を行う。ユーザは、各記録装置に設定されている時間を変更し、今まで選択していた記録装置を使用しないように設定できる。また、図１０に示すような設定画面においては、各記録装置に対応した録画チャンネルを変更することもできる。
【００６３】
また、このフローチャートの例では、同時録画・再生に使用するよう設定されていた記録装置が１つでも使用できない場合には、ステップＳ２４でメッセージを表示して処理を終了させているが、その場合でも、当該使用できない記録装置を識別できるようにして設定画面に表示し、ユーザに編集させるようにすることもできる。ステップＳ２７において、編集後の設定情報がメモリ２０に記憶される。
【００６４】
ここでは、同時録画・再生に使用するものとして設定情報に記録されていた記録装置の接続および使用状態をチェックして、全てが使用可能である場合に、その使用可能な記録装置を表示した設定画面を出力している。しかしながら、例えば、設定情報に記録されていない、即ち、前回または今まで使用していない記録装置のうち使用可能なもののみを設定画面に表示させるようにしてもよい。例えば、図３に示す接続状態において、前回、ハードディスクドライブ３３（ＨＤＤ３）を同時録画・再生に使用した場合に、設定画面を図１２に示すように表示させて、前回使用していなかったハードディスクドライブ３２（ＨＤＤ２）を使用するように選択させても良い。また、図１２の設定画面の例では、前回使用したＨＤＤ３の行は、薄く表示され、選択できないように制御されている。
【００６５】
また、こうした設定情報の内容に関係なく、毎回、全ての使用可能な記録装置について設定画面に表示させるようにしてもよい。
【００６６】
次に、設定情報に記憶されている記録装置に対して自動的な同時録画・再生を行う処理について、図１３のフローチャートを参照して説明する。この処理は、ユーザがＤＴＶ１で放送を視聴し始める時点で開始されても良いし、また特定の指示等によって開始されても良い。
【００６７】
最初に、ＤＴＶ１の録画再生制御部１４は、ステップＳ３１において、メモリ２０に記憶されている設定情報の内容が読み込まれる。次に、ステップＳ３２において、設定情報に記憶された各記録装置がネットワーク５を介してＤＴＶ１に接続され、かつ同時録画・再生に使用可能であるかどうかがチェックされる。ステップＳ３３で、使用可能であると判定された場合は、ステップＳ３４に進み、それらの装置が同時録画・再生に使用する装置として登録される。登録内容は、録画再生制御部１４が、ＴＳデータをその記録装置に送信するのに必要な情報であり、装置が複数ある場合は、設定情報に記録されている録画の順序等も含まれる。ステップＳ３３では、設定情報に記憶された記録装置が全て使用可能であった場合にのみステップＳ３４に進むように制御することもできる。
【００６８】
一方、ステップＳ３３で、設定情報に記憶された各記録装置のうち、接続されていないもの、あるいは使用可能でないものがあれば、ステップＳ３５に進み、そこで、設定情報に記憶されていない他の装置で、使用可能なものがないかチェックする。ステップＳ３６で、使用可能な他の記録装置があったと判定された場合は、ステップＳ３７で、それらの記録装置の中から同時録画・再生に使用される記録装置が自動的に選択され、ステップＳ３８で、当該選択された記録装置が、同時録画・再生に使用される録画装置として登録される。
【００６９】
ステップＳ３６で、使用可能な記録装置がないと判定された場合は、ステップＳ４０に進み、そこで、その旨を通知する所定のメッセージが表示され、処理を終了する。ステップＳ３４またはステップＳ３８において登録がされた場合は、ステップＳ３９に進み、そこでその登録がされた記録装置を使用して同時録画・再生処理が自動的に行われる。
【００７０】
このようにして、同時録画・再生は、事前に設定されている記録装置が接続されており、同時録画・再生が可能なタイプであれば、当該装置を使用して自動的に行われる。また、事前に設定されている記録装置が、例えば、ケーブルが抜けることによってネットワーク５に接続されていない状況である場合等でも、他の記録機器を自動的に選択して同時録画・再生に使用することができる。
【００７１】
事前に設定されている記録装置は、同時録画・再生を開始する時点で接続されていれば良く、それ以前に、取り外される等して接続がされていなくても良い。また、記録装置の電源が切れているような場合は、例えば、前述したＡＶ／Ｃ  Ｄｉｇｉｔａｌ  Ｉｎｔｅｒｆａｃｅ  Ｃｏｍｍａｎｄ等を利用してＤＴＶ１の録画再生制御部１４から電源の投入を指示するよう制御して、同時録画・再生に使用できるようにすることもできる。
【００７２】
次に、この発明の第３の実施の形態のデータ受信装置について説明する。本実施の形態は、前述した第１の実施の形態および第２の実施の形態のいずれとも組み合わせて実現可能なものである。本実施の形態は、複数の記録装置を同時録画・再生に使用する場合に、その複数の記録装置のバッファ２４に交互にＴＳデータを記録するものである。
【００７３】
本実施の形態を、図１４を参照して説明する。ここで、ＴＳデータを記録する記録装置として、図３に示すハードディスクドライブ３２とハードディスクドライブ３３が選択されたものとする。この場合、それぞれの記録装置に対して異なる記録時間を設定することが可能である。ここでは、ハードディスクドライブ３２には２０分間の動画像に相当するＴＳデータを記録し、ハードディスクドライブ３３には１０分間の動画像に相当するＴＳデータを記録するものとする。
【００７４】
図５Ｂに示すように、ハードディスクドライブ３２のバッファ２４がＴＳデータで一杯になると、図５Ｃのようにバッファ２４の先頭に戻って上書きを行うが、ここではそうせずに、別のハードディスクドライブ３３のバッファ２４にＴＳデータを記録する。ハードディスクドライブ３３のバッファ２４が一杯になると、ハードディスクドライブ３２のバッファ２４の先頭に戻って上書きを始める。
【００７５】
図１４に示す例では、録画または再生時において、ハードディスクドライブ３２とハードディスクドライブ３３の切り換えによるタイムラグを考慮し、切り換えに際して例えば、１分間のＴＳデータを重複して録画する。例えば、ハードディスクドライブ３２のバッファ２４に録画がされている場合、そのバッファ２４が一杯になる１分前からハードディスクドライブ３３のバッファ２４への録画が開始される。従って、この場合、２８分前までの動画像を再生することができる。もちろん、このような重複した録画をせずに複数の記録装置のバッファを交互に利用することもできる。
【００７６】
図１４では、記録装置を２台として交互にＴＳデータを記録する例が示されているが、同様の方法を３台以上の記録装置に適用することも可能である。上記のような制御は、例えば、ＤＴＶ１の録画再生制御部１４によって行われうる。
【００７７】
次に、この発明の第４の実施の形態のデータ受信装置について説明する。本実施の形態は、前述した第１の実施の形態および第２の実施の形態のいずれとも組み合わせて実現可能なものである。本実施の形態におけるデータ受信装置は、同時再生・録画が自動的に行われている途中で、ユーザの指示等により、録画が開始された場合に、自動録画の内容を当該ユーザ指示による録画データと連結させるように制御する。
【００７８】
ここまで説明してきたとおり、この発明のデータ受信装置は、例えば最大１０分間、過去に遡って視聴している番組を再生することができるように、ネットワークに接続された記録装置に自動的に放送を録画する。このときユーザは、視聴している番組を途中から録画しようと思い立つ場合がある。この場合は、その録画を指示してから後の番組の内容しか録画することができない。しかしながら、この発明では、同時録画・再生のために例えば、１０分間、番組の内容を自動的に録画しているので、ユーザが録画を指示する以前の番組の内容をその時間分だけ保持していることになる。
【００７９】
そこで、本実施の形態のデータ受信装置では、ユーザが番組の録画を指示した場合に、その番組が録画される領域の直前に、当該録画の指示があった時点で同時録画・再生のために自動的に録画されていた番組の内容をコピーして、ユーザに、録画の指示がある前の番組の内容も提供される。また、これらの制御は、例えば、ＤＴＶ１の録画再生制御部１４によって行われうる。
【００８０】
図１５は、同時録画・再生用に録画される番組の内容と、ユーザの指示によって録画される番組の内容を時系列に表した略線図である。ここで、同時録画・再生のための自動録画は、ハードディスクドライブ３２を使用して行われるように設定されており、ユーザは、別のハードディスクドライブ３３に番組を録画するよう指示したとする。
【００８１】
図１５Ａは、ユーザが番組の録画を指示した時点のハードディスクドライブ３２とハードディスクドライブ３３の内容を示している。ハードディスクドライブ３２には、１０分間の録画が可能な自動録画領域に番組が録画されている。この録画は、図５で説明したように、領域が一杯になったら再びその領域の先頭から上書きするように制御されている。図１５Ａでは、ハードディスクドライブ３２の自動録画領域の先頭から番組内容４７が順次記録され、以前に記録された番組内容４８を上書きしている。一方、ハードディスクドライブ３３の録画領域には、この時点では何も書き込まれていない。ユーザが録画を指示した時点で、ハードディスクドライブ３２の自動録画領域の番組内容４７と番組内容４８が、それぞれ「ａ」、「ｂ」としてコピーされる。
【００８２】
図１５Ｂは、ユーザが録画の指示をして所定の時間が経過した後の状態を示している。ハードディスクドライブ３２の自動録画領域の番組内容４７の録画が進み、番組内容４８を更に上書きしている。ハードディスクドライブ３３の録画領域には、ユーザの録画の指示により、番組内容が録画され始めている。
【００８３】
図１５Ｃは、ユーザの指示した録画が終了した時点を表している。ユーザが録画を指示した時点でコピーされた番組内容ａと番組内容ｂが、ハードディスクドライブ３３の録画領域の直前にコピーされ、結果的に、ユーザが録画を指示するより前の内容も録画されている状態が実現される。このとき、番組内容ｂは、番組内容ａと連続するものであるが、番組内容ａより前のものであるため、図示するように、番組内容ｂ、番組内容ａ、および録画領域の順で配置される。
【００８４】
図１５の例では、上述したように、番組内容ｂ、番組内容ａ、および録画領域の順で配置され、ユーザは、実質的に、録画の指示をした１０分前の番組の内容から再生をすることができるが、番組内容ｂの部分についてのコピーは省略することも可能である。
【００８５】
図示した配置は概念的なものであって、各記録データをそれぞれ離れた別の記憶位置に配置して、アドレス制御等により図のように連続させて再生することも可能である。また、この例では、ユーザは、別のハードディスクドライブ３３に録画を行うよう指示しているが、同じ１台のハードディスクドライブ３２に録画するように指示した場合にも同様の処理を行うことができる。
【００８６】
上記のように、番組の録画がハードディスクドライブによって行われる場合、ハードディスクドライブ３２から番組内容ａおよび番組内容ｂをコピーするタイミングは、図１５Ｃのタイミングに限られず、図１５Ａの時点以降であればいつでも可能である。ただし、厳密な意味では、番組の録画データを録画領域に書き込む瞬間は除かれる。
【００８７】
また、ユーザがビデオテープ記録装置に番組を録画するよう指示した場合、コピーは当該ビデオテープ記録装置による録画が終了した後でなければできない。更に、録画領域の直前の領域は、番組内容ａ、番組内容ｂを記録するための領域を事前に確保しておく必要がある。
【００８８】
次に、この発明の第５の実施の形態のデータ受信装置について説明する。本実施の形態は、前述した第１の実施の形態および第２の実施の形態のいずれとも組み合わせて実現可能なものである。本実施の形態のデータ受信装置は、ユーザが視聴チャンネルを切り換えた場合に、番組を録画するバッファを切り換えることにより、以前のチャンネルの番組について、より長時間の再生を実現したものである。この制御は、例えば、ＤＴＶ１の録画再生制御部１４によって行われうる。
【００８９】
当該処理について、図１６を参照して説明する。この例では、ユーザがチャンネルを変更した場合に、現在視聴しているチャンネルと以前に視聴していたチャンネルそれぞれの内容を少なくとも所定の期間（例えば、１０分間）録画するように制御される。
【００９０】
図１６は、バッファに録画された番組内容が格納される態様を時系列に示す略線図である。図１６Ａには、メインバッファ５１と退避用バッファ５２とが示されている。メインバッファ５１は、図５に示すものと同種のバッファであり、番組内容を１０分間録画する容量を備えるものとする。退避用バッファ５２は、メインバッファ５１と同様の容量を有し、ユーザがチャンネルを変更した場合に使用されるバッファである。
【００９１】
図１６Ｂは、ユーザが最初Ａチャンネルを視聴していて、途中からＢチャンネルに変更した場合のバッファの状況を示す。ユーザは、最初にＡチャンネルを視聴しているので、この発明のＤＴＶ１は、同時録画・再生のために、Ａチャンネルの番組内容５３をメインバッファ５１に録画する。その後、ユーザは、５分後に、視聴チャンネルをＢチャンネルに変更する。そうすると、ＤＴＶ１は、Ｂチャンネルの番組内容５４を今度は退避用バッファ５２に録画する。ＤＴＶ１のこの動作によって、ユーザは、Ｂチャンネルに変更した後でもＡチャンネルの再生を行うことができる。
【００９２】
Ｂチャンネルの視聴を続けると、１０分間で退避用バッファ５２はＢチャンネルの番組内容５４で一杯になる。この状況が、図１６Ｃに表されている。この図からも分かるように、ユーザは、チャンネルを変更しても、前のチャンネルの番組内容を最大１０分間再生することができ、現在視聴しているチャンネルと合わせると合計で２０分間、過去の視聴番組を再生することができる。
【００９３】
その後、Ｂチャンネルの番組内容５４は、図１６Ｄに示されるように、メインバッファ５１に書き込まれ、以前に録画されていたＡチャンネルの番組内容５３を上書きしていく。このとき、図では、退避用バッファ５２に録画されている番組内容５４が消去されているが、必要に応じて残すようにしても良い。
【００９４】
ユーザが更にＢチャンネルの視聴を続けると、Ｂチャンネルの番組内容５４は一度、メインバッファ５１を一杯にし、再びメインバッファ５１の先頭から上書きを始める。図１６Ｅには、このときの状況が表されている。番組内容５４Ｂが、上書きされているデータを示し、番組内容５４Ａが、新たに先頭から録画されるデータを示している。
【００９５】
本実施の形態のデータ受信装置では、上記のような２つのバッファを自動的に確保し、使用するように設定することができる。例えば、ＨＤ（Ｈｉｇｈ  Ｄｅｆｉｎｉｔｉｏｎ）画質の番組を２０時間録画できる記録装置（ハードディスクドライブ）があって、同時録画・再生用に、ハードディスクの半分を使用できると仮定すると、メインバッファ５１として５時間の録画が可能な容量を確保し、退避用バッファ５２として同様に５時間の録画が可能な容量を確保することができる。
【００９６】
次に、この発明の第６の実施の形態のデータ受信装置について説明する。本実施の形態は、前述した第１の実施の形態および第２の実施の形態のいずれとも組み合わせて実現可能なものである。本実施の形態のデータ受信装置は、同時録画・再生のための自動録画が行われている状況において、ユーザの指示等で別途録画が開始された場合に、自動的に記録装置を切り換えるよう制御するものである。
【００９７】
例えば、図３に示すような接続状態において、ＤＴＶ３１は、ハードディスクドライブ３２に同時録画・再生のための録画を自動的に行っているものとする。ここで、ユーザが、視聴している番組を別の使用可能な記録装置、ハードディスクドライブ３３に録画するようにＤＴＶ３１に指示したとすると、ＤＴＶ３１は、その指示に基づいて、番組内容のデータ（例えば、ＴＳデータ）をハードディスクドライブ３３に送信し、ハードディスクドライブ３３でそれを記録する。この際、同時録画・再生のための録画もハードディスクドライブ３３を使用するように切り換えられる。勿論、ユーザの指示による番組の録画は、ハードディスクドライブ３３のハードディスク２３内の所定の録画領域を使って行われ、同時録画・再生のための録画は、ハードディスクドライブ３３の所定のバッファ２４を使って行われる。
【００９８】
ユーザの指示による番組の録画が終了すると、同時録画・再生のための録画は、再びハードディスクドライブ３２のバッファ２４を使って行われるように切り換えられる。
【００９９】
次に、この発明の第７の実施の形態のデータ受信装置について説明する。本実施の形態は、前述した第１の実施の形態および第２の実施の形態のいずれとも組み合わせて実現可能なものである。本実施の形態のデータ受信装置は、同時録画・再生のための自動録画が行われている状況において、当該自動録画が行われている記録装置の記録容量が所定の値を下回った場合に、自動録画を行う記録装置を自動的に切り換えるよう制御するものである。
【０１００】
例えば、図３に示すような接続状態において、ＤＴＶ３１は、ハードディスクドライブ３２に同時録画・再生のための録画を自動的に行っているものとする。ここで、何らかの理由、例えば、ハードディスクドライブ３２が同時に通常の録画に使用されている等の理由で、ハードディスクドライブ３２の空き記憶域が一定の領域（例えば、１０分間の番組内容を録画できる領域）以下になった場合、上記同時録画・再生のための録画が、他の使用可能な記録装置であるハードディスクドライブ３３を使用して行うように自動的に切り換えられる。
【０１０１】
ハードディスクドライブ３２では、このような他の処理によって記憶領域が圧迫されないように、所定の容量の領域を、他に使用されないように予め確保しておくこともできる。
【０１０２】
【発明の効果】
この発明によれば、データ受信装置からの制御によって、同時録画・再生のための書き込みおよび読み出しを、所定の記録装置に対して行うことができ、そのような記録装置は、ネットワークに接続され、かつ同時録画・再生可能な記録装置の中から選択される。また、同時録画・再生のために受信した放送を上記記録装置に書き込み、当該記録装置から読み取ることができるため、既存の記録装置を有効に活用できる。また更に、複数の記録装置を利用する場合には、多様な書き込み、読み取り形態を実現できると共に可用性を向上させることができる。
【図面の簡単な説明】
【図１】この発明の第１の実施の形態に係る記録装置の接続例を示すブロック図である。
【図２】この発明の第１の実施の形態に係るデータ受信装置と記録装置の構成を示すブロック図である。
【図３】この発明の第１の実施の形態に係る記録装置の別の接続例を示すブロック図である。
【図４】この発明の第１の実施の形態に係るデータ受信装置の同時録画・再生を行う処理を示すフローチャートである。
【図５】この発明の第１の実施の形態において、記録装置のバッファにデータを格納する態様を説明するための略線図である。
【図６】この発明の第２の実施の形態において、最初に設定情報の登録を行う処理を示すフローチャートである。
【図７】この発明の第２の実施の形態において、設定情報の表示例を示す略線図である。
【図８】この発明の第２の実施の形態において、設定情報の別の表示例を示す略線図である。
【図９】この発明の第２の実施の形態に係る記録装置の接続例を示すブロック図である。
【図１０】この発明の第２の実施の形態において、設定情報の別の表示例を示す略線図である。
【図１１】この発明の第２の実施の形態において、既存の設定情報の編集を行う処理を示すフローチャートである。
【図１２】この発明の第２の実施の形態において、設定情報の別の表示例を示す略線図である。
【図１３】この発明の第２の実施の形態において、設定情報の内容を元に同時録画・再生を行う処理を示すフローチャートである。
【図１４】この発明の第３の実施の形態において、複数の記録装置のバッファを切り換えて動画像データを記録する方法を説明するための略線図である。
【図１５】この発明の第４の実施の形態において、同時録画された動画像データを連結する方法を説明するための略線図である。
【図１６】この発明の第５の実施の形態において、チャンネルの切り換えに対応して動画像データを記録する方法を説明するための略線図である。
【符号の説明】
１，３１，４１・・・ＤＴＶ、２，３２，３３，４２，４３・・・ハードディスクドライブ、３，３４，４４・・・ビデオテープ記録装置、１４・・・録画再生制御部、１９，２１・・・インタフェース、２０・・・メモリ、２４・・・バッファ
【図１】
2005020057.tif 000003
【図２】
2005020057.tif 000004
【図３】
2005020057.tif 000005
【図４】
2005020057.tif 000006
【図５】
2005020057.tif 000007
【図６】
2005020057.tif 000008
【図７】
2005020057.tif 000009
【図８】
2005020057.tif 000010
【図９】
2005020057.tif 000011
【図１０】
2005020057.tif 000012
【図１１】
2005020057.tif 000013
【図１２】
2005020057.tif 000014
【図１３】
2005020057.tif 000015
【図１４】
2005020057.tif 000016
【図１５】
2005020057.tif 000017
【図１６】
2005020057.tif 000018